(57)【要約】【課題】  ヘッド本体に設けられた開口部を覆う蓋部材への打球の衝撃による影響を抑制し、蓋部材ががたつき、又は外れるのを防止することができるゴルフクラブヘッド及びそれを備えるゴルフクラブを提供する。【解決手段】  ソール部１４０の内周面（中空部側表面）に、衝撃緩衝部１５０が形成される。衝撃緩衝部１５０は、ソール部１４０において、打球部であるフェイス部１２０と蓋部材１４４の固定位置との間の領域に形成される。衝撃緩衝部１５０は、ソール部１４０の内周面（中空部側表面）から中空部の内方に突出する突条である。【選択図】  図１０
2014140591.tif 000002
【特許請求の範囲】
【請求項１】
クラウン部、フェイス部、サイド部及びソール部に囲まれた中空部と、
前記ソール部に前記中空部と連通するように形成された、少なくとも人間の指が入る大きさの開口部と、
前記開口部の内周面に設けられた蓋部材支持部と、
前記開口部を覆うように前記蓋部材支持部に支持され、前記中空部の外方に凸に湾曲した蓋部材と、
前記蓋部材を貫通し前記蓋部材支持部に固定されることにより、前記蓋部材を前記蓋部材支持部に着脱自在に固定する固定部材と、
前記ソール部の前記中空部側表面のうち前記蓋部材の固定位置と前記フェイス部との間の領域に形成された第１衝撃緩衝部と、を備え、
前記第１衝撃緩衝部は、その長さが前記フェイス部の外表面と平行な方向において前記蓋部材の寸法以上の長さとなるように形成される、
ゴルフクラブヘッド。
【請求項２】
前記第１衝撃緩衝部は、前記中空部側表面から前記中空部の内方に突出する突条である、
請求項１記載のゴルフクラブヘッド。
【請求項３】
前記ソール部の外表面のうち前記突条が設けられた前記中空部側表面と反対側の部分に、
前記突条と平行に延びる溝が形成される、
請求項２記載のゴルフクラブヘッド。
【請求項４】
前記開口部は，前記ソール部のうちの開口部形成面に形成されており、
前記ソール部のうち前記蓋部材の固定位置と前記サイド部との間の領域に、前記開口部形成面に対して傾斜する傾斜部が第２衝撃緩衝部として形成されている、
請求項１記載のゴルフクラブヘッド。
【請求項５】
前記第２衝撃緩衝部は、前記蓋部材との略全周を取り囲む、
請求項４記載のゴルフクラブヘッド。
【請求項６】
前記第１衝撃緩衝部は、前記ソール部のトウ側端部からヒール側端部まで延伸する、
請求項１記載のゴルフクラブヘッド。
【請求項７】
グリップと、
前記グリップに結合されたシャフトと、
前記シャフトにホーゼルを介して結合されたゴルフクラブヘッドと、を備え、
前記ゴルフクラブヘッドは、
クラウン部、フェイス部、サイド部及びソール部に囲まれた中空部と、
前記ソール部に前記中空部と連通するように形成された、少なくとも人間の指が入る大きさの開口部と、
前記開口部の内周面に設けられた蓋部材支持部と、
前記開口部を覆うように前記蓋部材支持部に支持され、前記中空部の外方に凸に湾曲した蓋部材と、
前記蓋部材を貫通し前記蓋部材支持部に固定されることにより、前記蓋部材を前記蓋部材支持部に着脱自在に固定する固定部材と、
前記ソール部の前記中空部側表面のうち前記蓋部材の固定位置と前記フェイス部との間の領域に形成された第１衝撃緩衝部と、を備え、
前記第１衝撃緩衝部は、その長さが前記フェイス部の外表面と平行な方向において前記蓋部材の寸法以上の長さとなるように形成される、
ゴルフクラブ。 
【発明の詳細な説明】
【技術分野】
【０００１】
本発明は、重量を調整可能なゴルフクラブヘッド、特に、重量調整部材をヘッド内部に設置するゴルフクラブヘッドとそれを備えるゴルフクラブに関する。
【背景技術】
【０００２】
従来、中空に形成されたゴルフクラブヘッドの内面に樹脂等から成る重量調整材を設けることにより、重量や重心を調整可能なゴルフクラブヘッドが知られている（特許文献１）。このゴルフクラブヘッドでは、ヘッド本体に外部から中空部と連通する開口部が設けられ、重量調整材は、この開口部を通じて中空部に取り付ける。この開口部は、ヘッド本体にネジで固定される蓋部材によって覆われる。このような蓋部材を固定するために異なる長さのネジを用いることによって、ゴルフクラブヘッドの重量を調整することも知られている（特許文献２）。
【先行技術文献】
【特許文献】
【０００３】
【特許文献１】特開２００７−１３６０６８号公報
【特許文献２】米国特許第５，７８８，５８４号明細書
【発明の概要】
【発明が解決しようとする課題】
【０００４】
しかし、このようなゴルフクラブヘッドで打球を繰り返すと、打球による衝撃で蓋部材を固定する固定部材（ネジ等）が緩んでしまい、蓋部材が外れてしまうことがある。また、蓋部材が外れなくても、蓋部材とヘッド本体の間に隙間ができ、がたつきによる異音を生じることもある。特に、３８０ＣＣを越える大型チタン製ヘッドにおいては、ゴルフクラブヘッドの最低肉厚部の厚みが１．０ｍｍ以下の部分を有することが多いため、剛性不足から変形量が大きくなりやすい。そこで、本発明の様々な実施形態は、ヘッド本体に設けられた開口部を覆う蓋部材への打球の衝撃による影響を抑制し、蓋部材ががたつき、又は外れるのを防止することができるゴルフクラブヘッド及びそれを備えるゴルフクラブを提供することを目的の一つとする。本発明の様々な実施形態の他の目的は、本明細書全体を参照することにより明らかとなる。
【課題を解決するための手段】
【０００５】
本発明の一実施形態に係るゴルフクラブヘッドは、クラウン部、フェイス部、サイド部及びソール部に囲まれた中空部と、前記ソール部に前記中空部と連通するように形成された、少なくとも人間の指が入る大きさの開口部と、前記開口部の内周面に設けられた蓋部材支持部と、前記開口部を覆うように前記蓋部材支持部に支持され、前記中空部の外方に凸に湾曲した蓋部材と、前記蓋部材を貫通し前記蓋部材支持部に固定されることにより、前記蓋部材を前記蓋部材支持部に着脱自在に固定する固定部材と、前記ソール部の前記中空部側表面のうち前記蓋部材の固定位置と前記フェイス部との間の領域に形成された第１衝撃緩衝部とを備える。前記第１衝撃緩衝部は、その長さが前記フェイス部の外表面と平行な方向において前記蓋部材の寸法以上の長さとなるように形成される。
【０００６】
本発明の一実施形態に係るゴルフクラブは、グリップと、前記グリップに結合されたシャフトと、前記シャフトにホーゼルを介して結合されたゴルフクラブヘッドとを備える。前記ゴルフクラブヘッドは、クラウン部、フェイス部、サイド部及びソール部に囲まれた中空部と、前記ソール部に前記中空部と連通するように形成された、少なくとも人間の指が入る大きさの開口部と、前記開口部の内周面に設けられた蓋部材支持部と、前記開口部を覆うように前記蓋部材支持部に支持され、前記中空部の外方に凸に湾曲した蓋部材と、前記蓋部材を貫通し前記蓋部材支持部に固定されることにより、前記蓋部材を前記蓋部材支持部に着脱自在に固定する固定部材と、前記ソール部の前記中空部側表面のうち前記蓋部材の固定位置と前記フェイス部との間の領域に形成された第１衝撃緩衝部とを備える。前記第１衝撃緩衝部は、その長さが前記フェイス部の外表面と平行な方向において前記蓋部材の寸法以上の長さとなるように形成される。
【発明の効果】
【０００７】
本発明の様々な実施形態によって、ヘッド本体に設けられた開口部を覆う蓋部材への打球の衝撃による影響を抑制し、蓋部材ががたつき、又は外れるのを防止することができるゴルフクラブヘッド及びそれを備えるゴルフクラブを提供することができる。
【図面の簡単な説明】
【０００８】
【図１】本発明の一実施形態に係るゴルフクラブヘッドを備えたゴルフクラブの構成を示す図。
【図２】図１に示したヘッドの上面図。
【図３】図１に示したヘッドの正面図。
【図４】図１に示したヘッドの右側面図。
【図５】図１に示したヘッドの背面図。
【図６】図１に示したヘッドの左側面図。
【図７】図１に示したヘッドの底面図。
【図８】蓋部材を取り外したヘッドの底面図。
【図９】蓋部材を取り付けたヘッドの底面図。
【図１０】図９のヘッドのＡ−Ａ断面図。
【図１１】本発明の他の実施形態のヘッドの底面図。
【図１２】図１１のヘッドのＡ−Ａ断面図。
【図１３】図１１のヘッドのＢ−Ｂ断面図。
【図１４】本発明の他の実施形態のヘッドの底面図。
【図１５】図１４のヘッドのＡ−Ａ断面図。
【図１６】本発明の他の実施形態のヘッドの底面図。
【図１７】図１６のヘッドのＡ−Ａ断面図。
【図１８】図１６のヘッドのＢ−Ｂ断面図。
【図１９】図１７及び図１８の部分拡大図。
【図２０】押圧部材の説明図。
【図２１】本発明の他の実施形態のヘッドの底面図。
【図２２】図２１のヘッドのＡ−Ａ断面図。
【図２３】衝撃緩衝部の説明図。
【発明を実施するための形態】
【０００９】
以下、様々な実施形態を適宜図面を参照して説明する。なお、図面における共通する構成要素には同一の参照符号が付されている。また、各図面は、便宜上、必ずしも同一の縮尺により示されているとは限らない。
【００１０】
図１は、本発明の一実施形態のゴルフクラブヘッドを備えたゴルフクラブの構成を示す。図示のとおり、ゴルフクラブ１０は、主に、グリップＧと、このグリップＧに結合したシャフトＳと、このシャフトＳにホーゼルＨＺを介して結合されたゴルフクラブヘッド（以下単に「ヘッド」という。）１００と、を含む。
【００１１】
このヘッド１００の具体的な構成について、図２〜図７を参照して説明する。図２は、図１に示したヘッドの上面図である。図３は、図１に示したヘッドの正面図である。図４は、図１に示したヘッドの右側面図である。図５は、図１に示したヘッドの背面図である。図６は、図１に示したヘッドの左側面図である。図７は、図１に示したヘッドの底面図である。
【００１２】
図２〜図７に示すように、ヘッド１００のヘッド本体は、クラウン部１１０と、フェイス部１２０と、サイド部１３０と、ソール部１４０と、を有する。ヘッド１００は、これらの部材によって囲まれた中空構造を有する。本明細書においては、クラウン部１１０、フェイス部１２０、サイド部１３０、及びソール部１４０によって囲まれた空間を、「中空部」又は「ヘッド（１００）の中空部」と称することがある。この中空部内（例えば、ソール部１４０の中空部に面した内壁）に、樹脂等の重量調整材（図示せず）を配置することができる。重量調整材の配置は、ゴルフクラブのユーザが自ら行うことができるし、ゴルフクラブの販売店などによって顧客サービスとして提供されることもある。重量調整材の量や配置場所に応じて、ヘッド１００の重量、重心及び慣性モーメントが調整される。
【００１３】
ヘッド１００は、様々な素材を用いて、様々な肉厚や外観を有するように製造される。例えば、クラウン部１１０、フェイス部１２０、サイド部１３０及びソール部１４０は、チタン及びチタン合金、またはステンレス鋼を含む任意の材料により構成することが可能である。一実施形態において、ヘッド１００は、その容積が４４０ＣＣであり、全てチタン合金で形成され、ソール部１４０の最も肉薄の部分が０．８ｍｍとなるように構成される。当業者に明らかなように、ヘッド１００は、クラウン部１１０、フェイス部１２０、サイド部１３０及びソール部１４０を個別に準備し、これらの部材を接合することで製造してもよいし、これらの部材の一部（例えば、クラウン部１１０及びフェイス部１２０）又は全部を一体形成してもよい。
【００１４】
図２に示す実施形態において、クラウン部１１０は略扇形に形成されている。図４〜図６に示す実施形態において、クラウン部１１０は、外周縁から中央部に向かって高さが上昇するように、全体としてヘッド１００の外方に凸に湾曲している。図３に示すように、フェイス部１２０は、複数の円弧の両端をなだらかに湾曲する曲線で結んだ形状を成す。フェイス部１２０は、図４及び図６に示すように、クラウン部１１０に隣接して設けられ、クラウン部１１０の延設方向に交差する方向に延び、ヘッド１００の第１の側面を形成する。フェイス部の外面には、複数のスコアラインが形成されたフェイス面が設けられている。
【００１５】
図３〜図７に示すように、一実施形態において、サイド部１３０は、ヘッド１００のトウ側の側面から背面を通ってヒール側まで延伸している。サイド部１３０のトウ側の端部はフェイス部１２０のトウ側の端部と接続され、サイド部１３０のヒール側の端部はフェイス部１２０のヒール側の端部と接続されている。
【００１６】
一実施形態において、ソール部１４０は、図３〜図７に示すように、略皿型の形状を成し、ヘッド１００の底面を形成する。ソール部１４０は、図７に示すように、フェイス部１２０及びサイド部１３０に隣接し、図４〜図６に示すように、クラウン部１１０に対向する位置に設けられる。ソール部１４０の詳細については後述する。なお、ソール部１４０はサイド部１３０と厳密に区別しなければならないものではなく、サイド部１３０とソール部１４０とを合わせた部分をソール部と捉えてもよい。
【００１７】
図２〜図７に示すように、ヘッド１００の一端には、斜め上方に延びる筒状のホーゼル支持部２０が形成されている。このホーゼル支持部２０にホーゼル（図示せず）が挿入され固定される。上述のように、このホーゼルを介して、ヘッド１００とシャフトＳ（図１）とが結合される。
【００１８】
次に、図８〜図１０を参照して、ソール部１４０の詳細を説明する。図８は、蓋部材を取り外したヘッドの底面図である。図９は、蓋部材を取り付けたヘッドの底面図である。図１０は、図９のヘッドのＡ−Ａ断面図である。
【００１９】
図８に示すように、ソール部１４０には、中央付近から後端付近にわたって、重量調整材をヘッド本体の内部に配置するための開口部１４２が形成されている。開口部１４２は、ヘッド１００の外部からヘッド１００の中空部に連通している。一実施形態において、開口部１４２は、蓋部材１４４を受け入れることができるように、蓋部材１４４の輪郭と合致する形状に形成される。例えば、蓋部材１４４が略三角形状に形成される場合には、開口部１４２も蓋部材１４４の輪郭と合致する三角形状に形成される。一実施形態において、開口部１４２の大きさは、利用者が手で重量調整部材をヘッド本体の内部に設置することができるように、少なくとも人間の指が入る大きさに形成される。例えば、AIST人体寸法データベース1991-92（http://riodb.ibase.aist.go.jp/dhbodydb/91-92/参照）によると、大人の男性の中指の第二指近位関節幅の最小値が１４ｍｍであり、この最小値に基づいて計算される大人の男性の中指の第二指近位関節の平均断面積は約１．５ｃｍ２である。開口部１４２の大きさは、このような若い男性の指を挿入できる大きさとする。例えば、一実施形態において、開口部１４２の大きさは、その平均断面積が３．５ｃｍ２以上とすることができる。他の実施形態においては、平均断面積が３．０ｃｍ２以上、２．５ｃｍ２、又は２．０ｃｍ２とする。開口部１４２の輪郭は、３つの頂部を有する略三角形状に形成される。
【００２０】
開口部１４２の周囲（内周面）には、蓋部材１４４を支持する蓋部材支持部１４６が形成されている。蓋部材支持部１４６は、開口部１４２に嵌め込まれた蓋部材１４４の周縁部に当接するように、開口部１４２の内周面に形成される。図示の実施形態のように蓋部材１４４が三角形状の場合には、蓋部材支持部１４６において、三角形状の蓋部材１４４の３つの頂部に対向する位置には、他の部分より幅広に形成された支持片１４８ａ、１４８ｂ、１４８ｃが形成される。これらの支持片１４８ａ、１４８ｂ、１４８ｃの各々には、ネジ孔１４９が形成されている。
【００２１】
蓋部材１４４は、様々な金属や合金から作製され、固定部材により、開口部１４２を覆うように蓋部材支持部１４６に固定される。一実施形態においては、固定部材としてステンレス合金製のネジ１７０を用いることができる。一実施形態において、蓋部材１４４は、ヘッド本体（例えばソール部１４０）より低ヤング率の素材、例えばアルミ合金で作製される。このように、蓋部材１４４をヘッド本体より低ヤング率の素材で形成することにより、蓋部材１４４をヘッド本体と同程度のヤング率の素材で形成した場合よりも、蓋部材１４４の貫通孔１４３周辺や蓋部材支持部１４６への応力集中を緩和することができる。図９及び図１０に示す実施形態においては、蓋部材１４４は、慣性モーメントをより大きくするために、その中央付近がヘッド１００の外方（中空部の外方）に凸に湾曲する板状に形成される。蓋部材１４４は、開口部１４２を覆うことができるように開口部１４２の形状に適合する形状に形成される。蓋部材１４４は、例えば、図示のように３つの頂部を有する略三角形状の板状部材から成る。蓋部材１４４の板厚は、一定であってもよく、位置によって変化してもよい。また、蓋部材１４４の表面には、空力抵抗の改善や意匠性の観点等の様々な要請から、凹凸が設けられることがある。蓋部材１４４の３つの頂部のそれぞれには、支持片１４８ａ、１４８ｂ、１４８ｃのネジ孔１４９に対応する位置に貫通孔１４３が形成されている。蓋部材１４４をヘッド本体に取り付ける際には、各貫通孔１４３が対応するネジ孔１４９と対向するように蓋部材１４４を開口部１４２に嵌め込み、各貫通孔１４３に固定部材（ネジ１７０）を挿入し、このネジ１７０をネジ孔１４９と螺合させればよい。ネジ１７０を取り外すことにより、蓋部材１４４をヘッド本体のソール部１４０（蓋部材支持部１４６）から取り外すことができる。このように、蓋部材１４４は、ヘッド本体のソール部１４０（蓋部材支持部１４６）に着脱自在に取り付けられ得る。ネジ孔１４９は、図示の実施形態のように支持片１４８ａ、１４８ｂ、１４８ｃを貫通していてもよいが、必ずしも貫通している必要はない。
【００２２】
図８及び図１０に示すように、一実施形態において、蓋部材１４４の貫通孔１４３の１つの近傍には雄係合部１４１が形成される。図８及び図１０に図示した実施形態では、蓋部材１４４の３つの頂部のうち最もフェース部１２０に近い頂部に形成された貫通孔１４３の近傍に、雄係合部１４１が形成されている。また、蓋部材支持部１４６の雄係合部１４１と対向する位置には、雄係合部１４１と係合する雌係合部１４７が形成されている。雌係合部１４７は、ネジ１７０が貫通孔１４３を貫通する貫通方向（図１０に２点鎖線の矢印で示されている。以下、「ネジ１７０の貫通方向」ということがある。）の中空部の外方から雄係合部１４１に当接することで、雄係合部１４１と係合する。
【００２３】
図８及び図１０に示す実施形態において、雄係合部１４１は、ヘッド１００の中空部の外方（図１０の下方）を向く傾斜面１４１ａを有する。また、雌係合部１４７は、中空部の内方（図１０の上方）を向き、傾斜面１４１ａと対向する傾斜面１４７ａを有する。傾斜面１４７ａは、傾斜面１４１ａと略平行に延伸している。この構成によれば、蓋部材１４４が開口部１４２に嵌め込まれているときには、傾斜面１４７ａがネジ１７０の貫通方向の外方から傾斜面１４１ａに当接しており、これにより雄係合部１４１と雌係合部１４７とが係合する。他の実施形態において、雄係合部１４１は、ネジ１７０の貫通方向と略垂直な方向に延伸し、ヘッド１００の中空部の外方を向く第１垂直面を有していてもよい。このとき、雌係合部１４７は、ネジ１７０の貫通方向と略垂直な方向に延伸し、ヘッド１００の中空部の内方を向く第２垂直面を有する。そして、第２垂直面がネジ１７０の貫通方向の外方から第１垂直面に当接することにより、雄係合部１４１と雌係合部１４７とが係合する。
【００２４】
蓋部材１４４の雄係合部１４１が雌係合部１４７に嵌め込まれると、雌係合部１４７の傾斜面１４７ａが雄係合部１４１の傾斜面１４１ａにネジ１７０の貫通方向の中空部の外方側から当接する。これにより蓋部材１４４は、ネジ１７０の貫通方向への移動が規制されるので、打球時の衝撃等によりネジ１７０が緩んだとしても、蓋部材１４４をソール部１４０に確実に保持することができる。
【００２５】
さらに、本実施形態のヘッド１００においては、ソール部１４０の内周面（中空部側表面）に、衝撃緩衝部１５０が形成される。衝撃緩衝部１５０は、ソール部１４０において、打球部であるフェイス部１２０と蓋部材１４４の固定位置との間の領域に形成される。図１０に示すように、衝撃緩衝部１５０は、ソール部１４０の内周面（中空部側表面）から中空部の内方に突出する突条である。一実施形態において、衝撃緩衝部１５０は、ソール部１４０のトウ側からヒール側に向かってフェイス面と略平行に延びる。一実施形態において、衝撃緩衝部１５０は、その長さが、蓋部材１４４の全体寸法、特に、フェイス部１２０（フェイス面）と略平行な方向の寸法（幅）より長くなるように構成される。
【００２６】
このように、蓋部材１４４の雄係合部１４１を蓋部材支持部１４６の雌係合部１４７と係合させることにより、蓋部材１４４がネジ１７０の貫通方向にヘッド１００から係脱することを防止し、蓋部材１４４を蓋部材支持部１４６に確実に保持することができる。ネジ１７０が緩んだとしても、蓋部材１４４のネジ１７０の貫通方向への移動は規制されているため、蓋部材１４４のがたつきによる異音の発生を抑制することができる。また、蓋部材１４４を三角形状に構成し、その頂部の１つだけに雄係合部１４１を設けることにより、蓋部材１４４の着脱が容易になる。上記の実施形態における蓋部材１４４は、ヘッド１００の中空部の外方に凸に湾曲しているため、特開２００７−１３６０６８号公報に記載されている平面の蓋部材を用いる場合よりも小さな力で座屈（曲げ）変形しやすい。したがって、この変形による蓋部材１４４の脱落を防止するために、本発明が好適に適用される。なお、雄係合部１４１と雌係合部１４７とは、常時当接している必要はなく、少なくともネジ１７０が緩んだ時のみ係合する配置となっていれば良い。したがって、蓋部材１４４がネジ１７０により蓋部材支持部１４６に十分に固定されているときは、雄係合部１４１と雌係合部１４７の対向面同士は当接していなくても良い。
【００２７】
上記の実施形態においては、蓋部材１４４は、３つの頂部を有する略三角形状に形成され、各頂部において蓋部材支持部１４６に対してネジ止めされており、また、雄係合部１４１は、その３つの頂部の１つにのみ設けられる。このような構成によれば、蓋部材１４４を蓋部材支持部１４６に対して３点で確実に固定できるとともに、４カ所以上でネジ止めを行う態様と比べて設計及び製造が容易になる。また、係合部（雄係合部１４１と雌係合部１４７とが係合する部分）も一ヶ所のみに設けられているので、製造が容易である。
【００２８】
さらに、本実施形態のヘッド１００においては、打球の衝撃が発生するフェイス部１２０と蓋部材１４４との間の領域に衝撃緩衝部１５０を設けたため、打球時のフェイス部１２０の変形が衝撃緩衝部１５０で遮断され、ソール部１４０の蓋部材１４４周辺の部分の変形が抑制される。これにより、打球の衝撃によって蓋部材１４４が外れることを防止することができる。また、打球による衝撃を蓋部材１４４側に逃がさないため、より強い反発力での打球も期待できる。さらに、衝撃緩衝部１５０によって、樹脂等の流動性のある重量調整材を使用する場合に、蓋部材１４４周辺に付着させた重量調整材が意図せずフェイス部１２０側に流れ込んだり、逆に、蓋部材１４４から離れた位置に付着させた重量調整材が蓋部材１４４側に流れ込むことを防止できる。
【００２９】
次に、図１１〜図１３を参照し、本発明の他の実施形態について説明する。図１１は、この実施形態のヘッドの底面図である。図１２は、図１１のヘッドのＡ−Ａ断面図である。図１３は、図１１のヘッドのＢ−Ｂ断面図である。
【００３０】
この実施形態のヘッド２００において、開口部２４２は、ソール部２４０の中心からずれた位置に形成される。したがって、蓋部材２４４もソール部２４０の中心からずれた位置に取り付けられることになる。蓋部材支持部２４６は、蓋部材支持部１４６と同様に、開口部２４２の内周面に形成される。開口部２４２は、上述した開口部１４２と同様に、略三角形状に形成される。また、図１２に示すように、蓋部材２４４は、ヘッド２００の外方に凸に湾曲した板状部材から成る。蓋部材２４４には、蓋部材１４４と同様に、ネジ２５０ａ、２５０ｂ、２５０ｃをそれぞれ受け入れる貫通孔が３つ形成されている。
【００３１】
さらに、本実施形態のヘッド２００は、ソール部２４０において、打球部であるフェイス部１２０と蓋部材２４４の固定位置との間の領域に衝撃緩衝部２５０が形成される。衝撃緩衝部２５０は、上述の実施形態と同様、蓋部材２４４の輪郭に沿って、ソール部２４０の内周面（中空部側表面）に設けられた略くの字状に延びる突条である。本実施形態では、蓋部材２４４の取り付け位置に応じて、衝撃緩衝部２５０の位置も変わる。
【００３２】
図１２及び図１３に示すように、三角形状の蓋部材２４４の３つの貫通孔のうち、ネジ２５０ａを受け入れる貫通孔とネジ２５０ｂを受け入れる貫通孔との間の三角形の辺に相当する位置に、雄係合部２４１が形成される。一実施形態において、雄係合部２４１は、雄係合部１４１と同様に、ヘッド２００の中空部の外方を向く傾斜面を有するように形成される。また、蓋部材支持部２４６の雄係合部２４１と対向する位置には、雄係合部２４１と係合する雌係合部２４７が形成されている。雌係合部２４７は、ネジの貫通方向（図１２に２点鎖線の矢印で示されている。）の中空部の外方側から雄係合部２４１に当接することで、雄係合部２４１と係合する。
【００３３】
本実施形態のヘッド２００においては、蓋部材２４４の雄係合部２４１を蓋部材支持部２４６の雌係合部２４７と係合させることにより、蓋部材２４４がヘッド２００からネジの貫通方向には係脱しないようにしたため、蓋部材２４４を蓋部材支持部２４６に確実に保持することができる。また、ヘッド２００においては、蓋部材２４４がソール部２４０の中心からずれた位置に設けられるので、打球の衝撃によって蓋部材２４４が蓋部材支持部２４６からより外れにくくなっている。また、本実施形態においては、三角形状の蓋部材２４４の三角形の辺に相当する部分に雄係合部２４１を設けたため、頂部のみが係合する場合よりも確実に蓋部材２４２を抜け止めすることができる。さらに、本実施形態のヘッド２００においては、打球の衝撃が発生するフェイス部１２０と蓋部材２４４との間の領域に衝撃緩衝部２５０を設けたため、打球時のフェイス部１２０の変形が衝撃緩衝部２５０で遮断され、ソール部２４０の蓋部材２４４周辺の部分の変形が抑制される。これにより、打球の衝撃によって蓋部材２４４が外れることを防止することができる。また、打球による衝撃を蓋部材２４４側に逃がさないため、より強い反発力での打球も期待できる。さらに、衝撃緩衝部２５０によって、樹脂等の流動性のある重量調整材を使用する場合に、蓋部材２４４周辺に付着させた重量調整材が意図せずフェイス部１２０側に流れ込んだり、逆に、蓋部材２４４から離れた位置に付着させた重量調整材が蓋部材２４４側に流れ込むことを防止できる。
【００３４】
次に、図１４及び１５を参照し、本発明のさらに他の実施形態について説明する。図１４は、この実施形態のヘッドの底面図である。図１５は、図１４のヘッドのＡ−Ａ断面図である。
【００３５】
この実施形態のヘッド３００において、開口部３４２は略四角形状に形成され、蓋部材３４４も開口部３４２に適合した四角形状に形成される。蓋部材支持部３４６は、蓋部材支持部１４６と同様に、開口部３４２の内周面に形成される。蓋部材３４４の４つの頂部のそれぞれには貫通孔が形成されている。蓋部材３４４は、この貫通孔を介して４本のネジで蓋部材支持部３４６に固定される。
【００３６】
さらに、本実施形態のヘッド３００においては、ソール部３４０の内周面（中空部側表面）に、衝撃緩衝部３５０が形成される。衝撃緩衝部３５０は、ソール部３４０において、打球部であるフェイス部１２０と蓋部材３４４の固定位置との間の領域に形成される。一実施形態において、衝撃緩衝部３５０は、ソール部３４０の内周面（中空部側表面）に形成された、トウ側からヒール側に向かってフェイス面と略平行に延びる突条から成る。一実施形態において、衝撃緩衝部３５０は、その長さが、蓋部材３４４の全体寸法、特に、フェイス部１２０（フェイス面）と略平行な方向の寸法（幅）より長くなるように構成される。
【００３７】
本実施形態のヘッド３００では、蓋部材３４４を略四角形状とし、４つの頂部を４本のネジで固定するため、蓋部材３４４を蓋部材支持部３４６に確実に保持することができる。また、開口部３４２を、略四角形状としたため、より広い開口面積を確保でき、重量調整材設置の作業性を向上することができる。さらに、本実施形態のヘッド３００においては、打球の衝撃が発生するフェイス部１２０と蓋部材３４４との間の領域に衝撃緩衝部３５０を設けたため、打球時のフェイス部１２０の変形が衝撃緩衝部３５０で遮断され、ソール部３４０の蓋部材３４４周辺の部分の変形が抑制される。これにより、打球の衝撃によって蓋部材３４４が外れることを防止することができる。また、打球による衝撃を蓋部材３４４側に逃がさないため、より強い反発力での打球も期待できる。さらに、衝撃緩衝部３５０によって、樹脂等の流動性のある重量調整材を使用する場合に、蓋部材３４４周辺に付着させた重量調整材が意図せずフェイス部１２０側に流れ込んだり、逆に、蓋部材３４４から離れた位置に付着させた重量調整材が蓋部材３４４側に流れ込むことを防止できる。
【００３８】
次に、図１６〜図２０を参照し、本発明のさらに他の実施形態について説明する。図１６は、この実施形態のヘッドの底面図である。図１７は、図１６のヘッドのＡ−Ａ断面図である。図１８は、図１６のヘッドのＢ−Ｂ断面図である。図１９は、図１７及び図１８の部分拡大図である。図２０は、押圧部材を説明する図である。
【００３９】
上記各実施形態と同様に、ヘッド４００の蓋部材４４４には雄係合部４４１が形成され、ソール部４４０に形成された雌係合部４４７が、ネジの貫通方向の中空部の外方側から雄係合部４４１に当接することで、蓋部材４４４がソール部４４０に対して抜け止め固定されている。
【００４０】
この実施形態のヘッド４００においては、ソール部４４０に開口部４４２が形成されている。そして、ソール部４４０のうち開口部４４２が形成されている開口部形成面４４０ａの前側縁部には衝撃緩衝部４５０が形成され、開口部形成面４４０ａの後側縁部には衝撃緩衝部４５１が形成されている。衝撃緩衝部４５０は、ソール部４４０の内周面（中空部側表面）から中空部の内方に突出する突条である。図１７に示すように、ソール部４４０の外表面のうち突条が設けられた中空部側表面と反対側の部分に、突条と平行に延びる溝が形成されている。衝撃緩衝部４５０は、当該溝を画定する断面コ字状の突条であり、フェイス部１２０の外表面（フェイス面）と略平行な方向に略直線状に延びている。衝撃緩衝部４５０は、その長さが、蓋部材４４４の全体寸法、特に、フェイス部１２０の外表面（フェイス面）と略平行な方向の寸法（幅）より長くなるように構成される。衝撃緩衝部４５０は、トウ側端部からヒール側端部まで延伸する。一方、ソール部４４０のうち開口部形成面４４０ａの後側縁部で、蓋部材４４４の固定位置とサイド部１３０との間の領域に、開口部形成面４４０ａに対して傾斜する傾斜部が衝撃緩衝部４５１として形成されている。衝撃緩衝部４５１は、ソール面４４０のトウ側端部の衝撃緩衝部４５０よりもやや後側の位置から、開口部４４２（又は開口部４２２に嵌め込まれた蓋部材蓋部材４４４）の後側を回り込むように、ソール面４４０のヒール側端部まで延伸している。これにより、衝撃緩衝部４５０及び衝撃緩衝部４５１は、蓋部材４４４の略全周を取り囲むことになる。
【００４１】
図１９及び図２０に示すように、蓋部材支持部４４６の外周面には、蓋部材支持部４４６とほぼ同じ形状に形成されたエラストマー等の弾性部材から成る押圧部材４６０が設けられる。押圧部材４６０は、蓋部材４４４と蓋部材支持部４４６との間に設けられる。押圧部材４６０は、蓋部材４４４からの押圧力に反発して、蓋部材４４４をネジの貫通方向に沿ってヘッド４００の内方から外方に向かって押圧する。これにより、蓋部材４４４の雄係合部４４１は、ソール部４４０の雌係合部４４７に常時付勢されるので、蓋部材４４４とソール部４４０との衝突による異音の発生を抑制することができる。
【００４２】
本実施形態のヘッド４００においては、衝撃緩衝部４５０及び衝撃緩衝部４５１によって、蓋部材４４４の略全周が取り囲まれているため、打球時のフェイス部１２０の変形の蓋部材４４４への伝達をより確実に抑制することができる。
【００４３】
次に、図２１〜２３を参照し、本発明のさらに他の実施形態について説明する。図２１は、この実施形態のヘッドの底面図である。図２２は、図２１のヘッドのＡ−Ａ断面図である。図２３は、衝撃緩衝部の説明図である。
【００４４】
この実施形態のヘッド５００においては、ソール部５４０で、打球部であるフェイス部１２０と蓋部材５４４の固定位置との間の領域に衝撃緩衝部５５０が形成される。
衝撃緩衝部５５０は、ソール部５４０の内周面（中空部側表面）から中空部の内方に突出する突条である。図２２に示すように、ソール部５４０の外表面のうち突条が設けられた中空部側表面と反対側の部分に、突条と平行に延びる溝が形成されている。衝撃緩衝部５５０は、当該溝を画定する断面Ｕ字状の突条である。衝撃緩衝部５５０は、フェイス部１２０の外表面（フェイス面）と略平行な方向に略直線状に延びている。衝撃緩衝部５５０は、その長さが、蓋部材５４４の全体寸法、特に、フェイス部１２０の外表面（フェイス面）と略平行な方向の寸法（幅）より長くなるように構成される。
【００４５】
例えば、図２３に示すように、ソール部に幅の狭い溝が形成されている場合には、打球の衝撃によって、当該溝の周囲、特にトウ−ヒール方向の中央部分が大きく変形することがある。そのため、ソール部の中央付近に打球の衝撃による負荷が集中し、ソール部の中央付近に設けられた蓋部材へも大きな負荷が作用する。
【００４６】
一方、ヘッド５００においては、ソール部５４０に比較的幅広の溝が形成されているため、当該溝（又は衝撃緩衝部５５０）によって、打球時のフェイス部１２０の変形が遮断されるので、打球時のフェイス部１２０の変形の蓋部材５４４への伝達を抑制できる。
【００４７】
本発明は上述した実施形態に限定されることなく、上述した実施形態に様々な変更を行ったものについても、本発明の範囲に含まれる。例えば、ソール部に形成される開口部は、本明細書において明示された位置以外の位置に配置されてもよい。かかる開口部は、ソール部１４０のみならず、クラウン部、フェイス部、及びサイド部のうちの少なくとも１つに設けることができる。このような開口部は複数形成されてもよい。この場合、複数の開口部の各々に１つの蓋部材が着脱自在に取り付けられる。
【００４８】
開口部の形状は、円形状、矩形状、多角形状等を含む任意の形状とすることができる。
【００４９】
蓋部材は、ネジ以外の公知の固定部材を用いて、蓋部材支持部に固定してもよい。
【００５０】
衝撃緩衝部は、ソール部と一体に形成してもよく、ソール部とは別に準備してもよい。ソール部とは別に準備された衝撃緩衝部は、接着剤や両面テープ等でソール部に固定される。また、衝撃緩衝部は、様々な形状とすることができ、例えば、突条と傾斜部との組み合わせからなるようなものであってもよい。
【００５１】
ヘッド１００内に想定された配置領域内に樹脂等の重量調整材が確実に配置されるようにするために、この配置領域の外周（のうちの少なくとも一部又は全部）に沿って延びる凸部を形成してもよいし、この配置領域全体がこの配置領域を囲む領域よりも下方に位置するように、この配置領域全体を凹部として形成してもよい。
【００５２】
重量調整材としては、樹脂、接着剤、シール（錘が付着したシール）、弾性体及び金属材料等を含む任意の材料を用いることができる。なお、弾性体及び金属材料等は、接着剤や両面テープ等により、ヘッド１００の内面に固定することができる。
【００５３】
重量調整材を配置することに代えて、又は、重量調整材を配置することとともに、蓋部材１４４の材料及び／又は厚みを変更することによって、ヘッド１００の重心、慣性モーメント、及び／又は、打球音を調整することもできる。すなわち、材料及び／又は厚みの異なる複数の蓋部材（すなわち、相互に異なる質量を有する複数の蓋部材）を用意しておき、利用者が、これら複数の蓋部材の中から選択した蓋部材をヘッド１００に取り付けるようにしてもよい。なお、蓋部材を構成する材料としては、例えば、カーボン、マグネシウム合金、アルミ合金、チタン合金、ステンレス合金、タングステン合金等を含む任意の材料が挙げられる。
【００５４】
重量調整材を配置することに代えて、又は、重量調整材を配置するとともに、蓋部材１４４をヘッド１００に固定するためのネジの材料及び又は長さを変更することによって、ヘッド１００の重心、慣性モーメント、及び／又は、打球音を調整することもできる。すなわち、材料及び／又は長さの異なる複数のネジ（すなわち、相互に異なる質量を有する
複数のネジ）を用意しておき、利用者が、これら複数のネジの中から選択したネジを用いて蓋部材１４４をヘッド１００に固定するようにしてもよい。なお、ネジを構成する材料は、カーボン、マグネシウム合金、アルミ合金、チタン合金、ステンレス合金、タングステン合金等を含む任意の材料を含む。
【００５５】
クラウン部１１０、フェイス部１２０、サイド部１３０及びソール部１４０のうちの少なくとも１つの内面（の一部又は全部）を鏡面加工してもよい。これにより、例えばソール部１４０に開口部が形成されている場合には、この開口部を介して、上記鏡面加工されたクラウン部１１０、フェイス部１２０及び／又はサイド部１３０の内面に写る、利用者の指（手）、ノズル等の装置、及び／又は、重量調整材を見ることにより、より容易かつ正確に、ヘッド１００内の意図した位置に重量調整材を配置することができる。
【００５６】
各実施形態において、主に大型チタン製ヘッドを例に挙げているが、３８０ＣＣに満たないフェアウェイウッドやユーティリティーのヘッドにおいても最低肉厚部の厚みが１．０ｍｍ以下の部分を有するヘッドには特に有効である。また、最低肉厚部はソールに限られるものではなく、フェースやクラウン或いはサイド部分にあっても良い。
【符号の説明】
【００５７】
１００、２００、３００、４００、５００  ゴルフクラブヘッド（ヘッド）
１１０  クラウン部
１２０  フェイス部
１３０  サイド部
１４０、２４０、３４０、４４０、５４０  ソール部
１４１、２４１、３４１、４４１、５４１  雄係合部
１４２、２４２、３４２、４４２、５４２  開口部
１４４、２４４、３４４、４４４、５４４  蓋部材
１４６、２４６、３４６、４４６、５４６  蓋部材支持部
１４７、２４７、３４７、４４７、５４７  雌係合部
１７０、２５０ａ、２５０ｂ、２５０ｃ  ネジ
１５０、２５０、３５０、４５０、４５１、５５０  衝撃緩衝部
４６０  押圧部材 
【図１】
2014140591.tif 000003
【図２】
2014140591.tif 000004
【図３】
2014140591.tif 000005
【図４】
2014140591.tif 000006
【図５】
2014140591.tif 000007
【図６】
2014140591.tif 000008
【図７】
2014140591.tif 000009
【図８】
2014140591.tif 000010
【図９】
2014140591.tif 000011
【図１０】
2014140591.tif 000012
【図１１】
2014140591.tif 000013
【図１２】
2014140591.tif 000014
【図１３】
2014140591.tif 000015
【図１４】
2014140591.tif 000016
【図１５】
2014140591.tif 000017
【図１６】
2014140591.tif 000018
【図１７】
2014140591.tif 000019
【図１８】
2014140591.tif 000020
【図２０】
2014140591.tif 000021
【図２１】
2014140591.tif 000022
【図２２】
2014140591.tif 000023
【図２３】
2014140591.tif 000024
【図１９】
2014140591.tif 000025